(57)【要約】  【課題】非常に簡単な構造で熱電モジュールの冷却面、加熱面を活かした機能を実現できる温冷機能付テーブルを提供する。  【解決手段】テーブル天板１０に設置された保温プレート１７と保冷プレート１３と、保冷プレート１３を冷却する冷却面１４ｂと保温プレート１７を加熱する加熱面１４ｃを備えた熱電モジュール１４ａから構成され、保冷プレート１３もしくは保温プレート１７のどちらか一方の背面に熱伝モジュール１４ａの冷却面１４ｂもしくは加熱面１４ｃのどちらか一方を直接もしくは熱伝達部材を介して接続されたことにより、熱電モジュール１４ａの冷却面１４ｂでテーブル上の保冷面８ａ、８ｂ、８ｃ、８ｄを冷やし、同時にテーブル上の保温面９ａ、９ｂ、９ｃ、９ｄを加熱できるので、冷たい物や暖かい物を同時に置くことができる。【選択図】図１
2005300101.tif 000002
【特許請求の範囲】
【請求項１】
第１プレートおよび第２プレートと、冷却面と加熱面を備えた熱電モジュールと、前記熱電モジュールの冷却面および加熱面の熱を、それぞれ前記冷却面及び加熱面に対応して前記第１プレートおよび第２プレートへ伝達する熱伝導手段を具備した温冷装置を、前記第１プレートおよび第２プレートがテーブルの天面側に位置するように配置した温冷機能付テーブル。
【請求項２】
前記熱電モジュールへの通電方向を制御する通電制御装置を設けた請求項１に記載の温冷機能付テーブル。
【請求項３】
前記熱伝導手段を、前記加熱面と熱交換させる保冷ジャケットと、前記第１プレートと熱交換させる保温ジャケットと、前記保冷ジャケットと前記保温ジャケットを接続して循環回路を構成する熱媒体通路と、前記循環回路内を流れる熱媒体と、前記熱媒体を循環させる循環装置を具備する構成とし、さらに前記第１プレートを保温プレート、前記第２プレートを保冷プレートとし、前記冷却面を前記保冷プレートと熱伝達可能に設けた請求項１または２に記載の温冷機能付テーブル。
【請求項４】
前記熱伝導手段を前記テーブル底面に配置し、さらに前記熱伝導手段を覆う保護カバーをテーブル底面に備えた請求項１乃至３のいずれか一項に記載の温冷機能付テーブル。
【請求項５】
前記熱媒体通路に、前記熱媒体を、前記保温ジャケットおよび保冷ジャケットの双方に流す流路と、前記保温ジャケットおよび保冷ジャケットのいずれかにのみ流す流路に切換える切換え手段を設け、この切換え手段の下流側に、前記熱媒体を冷却する冷却手段を設けた請求項３または４に記載の温冷機能付テーブル。
【請求項６】
前記第１プレート及び第２プレートの少なくとも一方のプレートを構成する材料を良熱伝導部材とした請求項１乃至５のいずれか一項に記載の温冷機能付テーブル。
【請求項７】
前記第１プレート及び第２プレートの少なくとも一方のプレートの内部に、前記熱電モジュールによる熱を移動させるヒートパイプを設置した請求項１乃至６のいずれか一項に記載の温冷機能付テーブル。
【請求項８】
前記温冷装置を、前記テーブルに複数設けた請求項１乃至７のいずれか一項に記載の温冷機能付テーブル。
【発明の詳細な説明】
【技術分野】
【０００１】
本発明は、ペルチェ効果や熱電子のトンネル効果などによって機能する熱電モジュールを利用し、物品等を冷却あるいは加熱する温冷機能付テーブルに関するものである。
【背景技術】
【０００２】
従来のこの種テーブルは、テーブル天面の中に熱電モジュールおよび冷却トレー等を組込み、前記熱電モジュールの冷却面に前記冷却トレーを熱伝達可能に組付け、さらに前記熱電モジュールの加熱面に、放熱フィン等を設けた構造が知られている。
【０００３】
そして、前記冷却トレーの内部に、皿等の食器あるいは冷たくして食べたいものなどを貯蔵し、冷蔵保存できる構成としていた（例えば、特許文献１参照）。
【０００４】
図６および図７に、上記特許文献１に記載された従来の冷却貯蔵機能を備えたテーブルの構成を示す。
【０００５】
図６、図７において、従来の冷却貯蔵機能付テーブル５０は、天板５１の内部に、貯蔵空間を形成する冷却トレー５２および熱電モジュール５３、さらには前記熱電モジュール５３の通電を制御する制御装置５４等を内臓し、前記冷却トレー５２を前記熱電モジュール５３の冷却面（図示せず）と熱伝導可能に固定していた。さらに、前記熱電モジュール５３の加熱面（図示せず）には、放熱フィン５５が熱伝導可能に設けられている。
【０００６】
以上のように構成された従来の冷却貯蔵機能付テーブルの動作を説明する。
【０００７】
まず、熱電モジュール５３に通電することにより、冷却面が冷却され、冷却トレー５２が冷却される。一方、加熱面では発熱するが、その熱は放熱フィン５５に伝達され、ここで自然放熱される。
【０００８】
これによって、前記冷却トレー５の内部は、低温に維持され、皿や器、さらには冷たくして食べたいものなどの冷蔵保存ができる。また、前記冷却トレー５２に蓋５６を設けることにより、前記冷却トレー５の内部温度を所定の温度に保つことができる。
【特許文献１】特開平８−１８７１３４号公報
【発明の開示】
【発明が解決しようとする課題】
【０００９】
しかしながら、上記従来の構成は、冷却トレー５２にて物品等を冷蔵保存するのみであり、熱電モジュール５３の付加価値が低い用途であった。
【００１０】
しかも、前記熱電モジュール５３の放熱側は、放熱フィン５５を設けて自然放熱させる構成であるため、冷却面と加熱面を同時に利用することができないばかりでなく、大形化し、加えて、前記放熱フィン５５による自然放熱は、周囲温度等の影響を受けやすく、放熱フィン５５の放熱能力不足により、前記熱電モジュール５３の冷却効率が低下し、十分な冷蔵効果が得られないものであった。
【００１１】
さらに、前記放熱フィン５５は、テーブル５０を構成する天板５１の背面（底部）に設けられ、さらに前述の自然放熱の関係から大きく突出するため、人体が触れやすく、また放熱温度によりユーザーに不快感を与えてしまう問題があった。
【００１２】
本発明は、上記従来の課題を解決するもので、前記熱電モジュールの用途における付加価値を高め、利便性のある温冷機能付テーブルを提供することを目的とするものである。
【課題を解決するための手段】
【００１３】
上記従来の課題を解決するために、本発明の温冷機能付テーブルは、冷却面と加熱面を備えた熱電モジュールの熱を、それぞれ前記冷却面及び加熱面に対応した第１プレートおよび第２プレートへ伝達する熱伝導手段を具備した温冷装置を設け、前記第１プレートおよび第２プレートをテーブルの天面側に配置したものである。
【００１４】
したがって、テーブルの天面には、冷却機能と加熱機能を備える面がそれぞれ設けられ、用途に応じた使用が可能となる。
【００１５】
また、本発明は、前記熱電モジュールへの通電方向を制御する通電制御装置を設けたものである。
【００１６】
かかる構成により、前記第１プレートおよび第２プレートの冷却機能、加熱機能を切換えることが可能となり、一方のプレートの使用が物品戴置等の関係で遮られている場合であっても残るプレートを所望の機能で使用でき、利便性が向上する。
【００１７】
また、本発明は、前記熱伝導手段として、前記熱電モジュールの加熱面と熱交換させる保冷ジャケットと、前記第１プレートと熱交換させる保温ジャケットと、前記保冷ジャケットと前記保温ジャケットを接続して循環回路を構成する熱媒体通路と、前記循環回路内を流れる熱媒体と、前記熱媒体を循環させる循環装置を具備する構成とし、さらに前記第１プレートを保温プレート、前記第２プレートを保冷プレートとし、前記冷却面を前記保冷プレートと熱伝達可能に設けたものである。
【００１８】
かかる構成により、熱電モジュールの冷却面でテーブル上の保冷プレートを冷やし、冷鮮食品等の保冷が可能となる。同時に、テーブル上の保温プレートには、暖かい鍋もしくはスープ等の保温が可能となる。また、熱媒体を循環することで冷却効率や加熱効率を高めることができる。
【００１９】
さらに、本発明は、前記熱伝導手段を前記テーブル底面に配置し、保護カバーにて覆ったものである。
【００２０】
かかる構成により、熱電モジュールの加熱作用でつくられる高温部と人体との接触の心配がなく、ユーザーに不快感を与えることもない。
【００２１】
また、本発明は、前記熱媒体通路内の熱媒体を、前記保温ジャケットおよび保冷ジャケットの双方に流す流路と、前記保温ジャケットおよび保冷ジャケットのいずれかにのみ流す流路に切換える切換え手段を設け、この切換え手段の下流側に、前記熱媒体を冷却する冷却手段を設けたものである。
【００２２】
かかる構成により、冷却、加熱の一方の機能の作動、停止が制御でき、その場合における、熱電モジュールの効率低下も、前記冷却手段により抑制される。
【００２３】
さらに、本発明は、前記第１プレート及び第２プレートの少なくとも一方のプレートを構成する材料を良熱伝導部材としたものである。
【００２４】
かかる構成により、前記プレート上に載せられた物の保冷、保温効率を更に高めることができる。
【００２５】
また、本発明は、前記第１プレート及び第２プレートの少なくとも一方のプレートの内部に、前記熱電モジュールによる熱を移動させるヒートパイプを設置したものである。
【００２６】
かかる構成により、ヒートパイプ内部の媒体の相変化を利用し、前記プレートの冷却あるいは加熱効率を更に高めることができる。
【００２７】
さらに、本発明は、前記温冷装置を、前記テーブルに複数設けたもので、運転数を制御することにより、冷却あるいは加熱する物品の数量に応じた使用が可能となる。
【発明の効果】
【００２８】
本発明は、ペルチェ効果による冷却面、加熱面の両方を活かした冷却、加熱機能を有する温冷機能付テーブルを提供することができる。
【００２９】
また、必要に応じて冷却機能と加熱機能の位置を変えたり、一方の機能を停止したりすることができ、一層利便性を図ることができる。
【発明を実施するための最良の形態】
【００３０】
請求項１に記載の発明は、第１プレートおよび第２プレートと、冷却面と加熱面を備えた熱電モジュールと、前記熱電モジュールの冷却面および加熱面の熱を、それぞれ前記冷却面及び加熱面に対応して前記第１プレートおよび第２プレートへ伝達する熱伝導手段を具備した温冷装置を、前記第１プレートおよび第２プレートがテーブルの天面側に位置するように配置したもので、前記テーブルの天面に、冷却機能と加熱機能を備える面をそれぞれ設け、冷鮮食品等のような冷却物の保冷と、鍋物あるいはスープ等のような加熱物の保温を同時に行うこともでき、用途に応じた使用が可能となる。
【００３１】
また、請求項２に記載の発明は、前記熱電モジュールへの通電方向を制御する通電制御装置を設けたもので、前記第１プレートおよび第２プレートの冷却機能、加熱機能を切換えることが可能となり、一方のプレートの使用が物品戴置等の関係で遮られている場合であっても残るプレートを所望の機能で使用でき、利便性が向上する。
【００３２】
また、請求項３に記載の発明は、前記熱伝導手段を、前記加熱面と熱交換させる保冷ジャケットと、前記第１プレートと熱交換させる保温ジャケットと、前記保冷ジャケットと前記保温ジャケットを接続して循環回路を構成する熱媒体通路と、前記循環回路内を流れる熱媒体と、前記熱媒体を循環させる循環装置を具備する構成とし、さらに前記第１プレートを保温プレート、前記第２プレートを保冷プレートとし、前記冷却面を前記保冷プレートと熱伝達可能に設けたもので、前記熱電モジュールの冷却面でテーブル上の保冷プレートを冷やし、冷鮮食品等の保冷が可能となる。同時に、テーブル上の保温プレートには、暖かい鍋もしくはスープ等の保温が可能となる。また、熱媒体を循環することで冷却効率や加熱効率を高めることができる。
【００３３】
また、請求項４に記載の発明は、前記熱伝導手段を前記テーブル底面に配置し、さらに前記熱伝導手段を覆う保護カバーをテーブル底面に備えたものであり、熱電モジュールの加熱作用でつくられる高温部と人体との接触の心配がなく、ユーザーに不快感を与えることはない。
【００３４】
さらに、請求項５に記載の発明は、前記熱媒体通路に、前記熱媒体を、前記保温ジャケットおよび保冷ジャケットの双方に流す流路と、前記保温ジャケットおよび保冷ジャケットのいずれかにのみ流す流路に切換える切換え手段を設け、この切換え手段の下流側に、前記熱媒体を冷却する冷却手段を設けたもので、前記切換え手段により、前記熱媒体が流れる方向を切り換えることで、一方の例えば保温プレートを加熱させたり、加熱させなかったりと使用者は切り換えることができ、使い勝手がよい。
【００３５】
また、請求項６に記載の発明は、前記第１プレート及び第２プレートの少なくとも一方のプレートを構成する材料を良熱伝導部材としたもので、この良熱伝導部材により熱伝導ロスを抑えて、前記プレート上に載せられた物の保冷、保温効率を更に高めることができる。
【００３６】
さらに、請求項７に記載の発明は、前記第１プレート及び第２プレートの少なくとも一方のプレートの内部に、前記熱電モジュールによる熱を移動させるヒートパイプを設置したもので、前記ヒートパイプ内部の媒体の相変化を利用し、前記プレートの冷却あるいは加熱効率を更に高めることができる。
【００３７】
また、請求項８に記載の発明は、前記温冷装置を、前記テーブルに複数設けたもので、運転数を制御することにより、冷却あるいは加熱する物品の数量に応じた使用が可能となる。
【００３８】
以下、本発明の実施の形態について、図面を参照しながら説明する。なお、この実施の形態によってこの発明が限定されるものではない。
【００３９】
（実施の形態１）
図１は本発明の実施の形態１による温冷機能付テーブルの斜視状態を示し、また、図２はＸ−Ｘ線による温冷機能付テーブルの要部の断面状態を示している。
【００４０】
図１において、テーブル１１は、脚部１１ａおよびこの脚部１１ａで支えられたテーブル天板１０より構成され、前記テーブル天板１０の上面には、適宜個所に複数の保冷面８ａ、８ｂ、８ｃ、８ｄと、前記各保冷面８ａ、８ｂ、８ｃ、８ｄにそれぞれ対応する保温面９ａ、９ｂ、９ｃ、９ｄが設けられている。
【００４１】
次に、図２により、前記保冷面８ａ、８ｂ、８ｃ、８ｄと、前記各保冷面８ａ、８ｂ、８ｃ、８ｄにそれぞれ対応する保温面９ａ、９ｂ、９ｃ、９ｄへの熱伝導構造について説明する。ここでは、説明の便宜上一対の構造体について説明する。
【００４２】
図２において、熱電モジュール１４ａは、周知の如く電流を流すことによって吸熱（冷却）と放熱（加熱）を行う冷却面１４ｂと加熱面１４ｃを相対する面を備えている。前記保冷面８ａを形成する保冷プレート１３は、前記冷却面１４ｂと密着している。保冷ジャケット１５は、例えばアルミニウム等のごとく熱伝導性の高い金属あるいは樹脂材料からなり、入口と出口を有する所謂平坦なタンク構造に構成され、その一面は、前記加熱面１４ｃと熱伝導可能に密着している。保温ジャケット１８は、前記保冷ジャケット１５と同様に熱伝導材料からなり、タンク構造に構成され、その一面は前記保温面９ａを形成する保温プレート１７の底面と熱伝導可能に密着している。前記保冷ジャケット１５および保温ジャケット１８は、内部に液状の熱媒体１２が充填されており、ポンプ１６により、前記熱媒体１２が循環するように配管を介して連結されている。
【００４３】
ここで、前記保冷プレート１３および保温プレート１７は、前記保冷ジャケット１５、保温ジャケット１８と同様に、例えばアルミニウム等のごとく熱伝導性の高い金属あるいは樹脂材料から形成され、熱電モジュール１４ａが発生する熱を効率よく吸収（伝達）されるように配慮されている。
【００４４】
そして、前記熱電モジュール１４ａおよび前記保冷ジャケット１５、保温ジャケット１８、ポンプ１６からなる熱媒体循環回路部は、前記テーブル天板１０の裏面側に取付けられ、保護カバー１９にて覆われ、前記循環回路と人体の接触を防止している。
【００４５】
制御装置２３は、前記ポンプ１６および前記熱電モジュール１４ａ等の通電を制御するもので、ここでは、前記熱電モジュール１４ａの通電制御を中心に行うものとして扱う。
【００４６】
そして、上記構成からなる保冷、保温を行う構造体は、複数対が前記テーブル天板１０の適宜位置に配置されている。
【００４７】
必要に応じて、保冷プレート１３および保温プレート１７の色あるいは形状、大きさ等を異ならせ、また、「冷」、「温」等の文字表記を行い、保冷と保温の識別を容易にすることも可能である。
【００４８】
以上のように構成された温冷機能付テーブルについて、以下その動作を説明する。
【００４９】
上記構成において、制御装置２３により、熱電モジュール１４ａに直流を流すと、周知の如く通電により生じるペルチェ効果によって冷却面１４ｂが吸熱作用を行う。その結果、前記吸熱に伴う冷却熱が保冷プレート１３の底面へ伝達され、保冷面８ａが冷却される。したがって、前記保冷面８ａでの保冷が可能となる。
【００５０】
一方、ペルチェ効果によって冷却作用が生じると、前記熱電モジュール１４ａの加熱面１４ｃは放熱作用を行う。その結果、前記前記放熱に伴う温熱は、熱伝導可能に取付けられた保冷ジャケット１５へ移動し、この保冷ジャケット１５内の熱媒体１２と熱交換を行う。
【００５１】
前記加熱面１４ｃと熱交換を行い加熱された熱媒体１２は、ポンプ１６の循環作用により、前記保冷ジャケット１５から流出し、保温ジャケット１８に流入する。
【００５２】
その結果、加熱された熱媒体１２により前記保温プレート１７が加熱され、保温面９ａでの保温が可能となる。
【００５３】
ここで、前記熱媒体１２として周知の不凍液を用いることにより保冷面８ａを０℃以下まで冷やすことができる。
【００５４】
さらに、熱媒体１２の循環により、前記保温ジャケット１８で熱媒体１２を冷却するため、前記熱電モジュール１４ａの放熱面１４ｃでの放熱作用も効率よく行え、その結果、前記熱電モジュール１４ａの冷却能力も維持でき、保冷、保温共が良好に行える。
【００５５】
次に、前記制御装置２３により、前記熱電モジュール１４ａへの通電方向を逆にすると、同様にペルチェ効果により、熱電モジュール１４ａは、冷却面１４ｂが放熱作用を行い、放熱面１４ｃが吸熱作用を行う。
【００５６】
その結果、前記放熱に伴う温熱は熱伝達によって前記保冷面８ａを加熱し、また前記吸熱作用に伴う冷却熱は、保冷ジャケット１５へ移動し、ここで前記熱媒体１２と熱交換を行う。
【００５７】
そして、前記保冷ジャケット１５内の熱媒体１２を、前記ポンプ１６にて循環させることにより、前記熱媒体１２は、前記保温ジャケット１８を介して保温プレート１７と熱交換を行い、その結果前記保温面９ａを冷却することもできる。
【００５８】
また、この場合においても前記熱媒体１２の冷却により、前記熱電モジュール１４ａの冷却能力も維持、ならびに保冷、保温共が良好に行える。
【００５９】
以上のように本実施の形態１の温冷機能付きテーブルは、保冷と保温の両機能が同時に行え、また、前記保冷と保温の位置を逆にすることもでき、従来に比較して用途の拡大が図れ、利便性も向上する。さらに、保冷と保温を行う保冷プレート１３および保温プレート１７を複数設けているため、必要とする熱電モジュール１４ａと熱媒体循環回路を運転するのみで、必要とする個所の保冷プレート１３および保温プレート１７による保冷と保温が設定でき、テーブルとしての使い勝手が向上する。
【００６０】
また、前記熱媒体１２を循環することで前記熱電モジュール１４ａの冷却効率や加熱効率を維持、あるいは高めることができる。
【００６１】
また、熱媒体循環回路を保護カバー１９にて覆っているため、ユーザが直接熱電モジュール１４ａに触れる心配もなく、ユーザーに不快感を与えることはない。
【００６２】
（実施の形態２）
図３は本発明の実施の形態２における温冷機能付テーブルの図２相当図である。
【００６３】
同図において、実施の形態１と相違する点は、熱媒体循環回路に、前記熱媒体１２の流路を切換える切換え手段と、この切換え手段の下流側に位置して放熱手段を設けたことにある。ここで、先の実施の形態１と同じ構成要件については、同じ番号を付して説明を省略する。
【００６４】
前記切換え手段は、具体的には周知の構成からなる三方弁バルブ２０で構成され、三方口の内の二方口が、ポンプ１６と保温ジャケット１８に接続され、残る一口は、保温ジャケット１８と保冷ジャケット１５の間に接続されている。したがって、前記三方弁バルブ２０の切換え動作により、熱媒体１２は、矢印Ａ方向もしくは矢印Ｂ方向に流れ、ポンプ１６によって循環される。
【００６５】
また、前記放熱手段は、具体的には周知の構成からなる放熱器２１によって構成され、前記熱媒体１２が矢印Ｂ方向に流れる場合に機能するよう前記三方弁バルブ２０の下流側に設けられている。
【００６６】
以上のように構成された温冷機能付テーブルについて、以下その動作を説明する。ここでは、先の実施の形態１との構成上の相違に伴う内容（実施の形態１から得られない内容）について説明する。
【００６７】
上記構成において、熱電モジュール１４ａに直流を流すことで保冷プレート１３の保冷面８ａが冷却される。
【００６８】
一方、熱媒体１２は、三方弁バルブ２０が通常状態であれば矢印Ａで示す方向に流れ、先の実施の形態１と同様に、保冷と保温が行える状況となる。
【００６９】
そして、制御装置２３により、前記三方弁２０が切換え動作を行うと、ポンプ１６からの熱媒体１２は、三方弁バルブ２０から矢印Ｂ方向に流れ、放熱器２１にて熱媒体１２自身が冷却され、その温度が下がった状態で、保冷ジャケット１５へ流入し、熱電モジュール１４ａの加熱面１４ｃからの放熱を吸収し、熱交換した後前記ポンプ１６にて循環する。
【００７０】
したがって、前記熱媒体１２が矢印Ｂ方向へ循環する場合は、保温ジャケット１８へは熱媒体１２が循環しないため、保温プレート１７は機能しない状態にある。
【００７１】
この場合は、保冷プレート１３による保冷機能のみとなり、不要な保温機能によってテーブル天板１０の戴置スペースが制限されることもなく、テーブル天板１０の通常使用範囲も確保できる。
【００７２】
もちろん、この状態において、前記制御装置２３を操作して前記熱電モジュール１４ａへの通電方向を逆にすることにより、保冷プレート１３による保温機能のみとすることもできる。
【００７３】
以上のように本実施の形態２の温冷機能付きテーブルは、保温プレート１７を加熱（冷却）させたり、加熱（冷却）させなかったりと使用者は切換えることができ、使い勝手が向上する。
【００７４】
（実施の形態３）
図４は本発明の実施の形態３における温冷機能付テーブルの図２および図３相当図である。
【００７５】
同図において、先の実施の形態２と相違する点は、保冷プレート１３の広範囲に、周知の構成からなるヒートパイプ２２ａを、前記熱電モジュール１４ａの冷却面１４ｂに接近して内蔵した点である。ここで、先の実施の形態２と同じ構成要件については、同じ番号を付して説明を省略する。
【００７６】
以上のように構成された温冷機能付テーブルについて、以下その動作を説明する。ここでは、先の実施の形態２との構成上の相違に伴う内容（実施の形態２から得られない内容）について説明する。
【００７７】
上記構成において、熱電モジュール１４ａに直流を流すことにより、ペルチェ効果によって冷却面１４ｂが吸熱作用を行う。この吸熱作用に伴う冷却熱は、保冷プレート１３の底面を経て、ヒートパイプ２２ａに伝達され、保冷面８ａが冷却される。
【００７８】
したがって、前記冷却面１４ｂからの冷却熱を受けたヒートパイプ２２ａは、このヒートパイプ２２ａ内に充填した媒体の相変化により伝熱ロスの少ない状態で保冷プレート１３へ前記冷却熱を伝達する。しかも、前記ヒートパイプ２２ａが、前記保冷プレート１３に広範囲にわたって内蔵されているため、前記保冷プレート１３による保冷機能の立ち上がり速度も速くなり、保冷プレート１３の保冷作用が広範囲にわたって均一化される。
【００７９】
（実施の形態４）
図５は本発明の実施の形態４における温冷機能付テーブルの図２乃至図４相当図である。
【００８０】
同図において、先の実施の形態３と相違する点は、保冷プレート１３に加えて保温プレート１７についても広範囲に、周知の構成からなるヒートパイプ２２ｂを、保温ジャケット１８に接近して内蔵した点である。ここで、先の実施の形態３と同じ構成要件については、同じ番号を付して説明を省略する。
【００８１】
以上のように構成された温冷機能付テーブルについて、以下その動作を説明する。ここでは、先の実施の形態３との構成上の相違に伴う内容（実施の形態３から得られない内容）について説明する。
【００８２】
上記構成において、熱電モジュール１４ａに直流を流すことにより、ペルチェ効果によって加熱面１４ｃが放熱作用を行う。この放熱作用に伴う温熱は、熱媒体１２と熱交換し、この熱媒体１２を介して保温ジャケット１８から保温プレート１７に伝達される。前記温熱は、前記保冷プレート１３と同様に保温プレート１７の底面を経て、ヒートパイプ２２ｂに伝達され、保温面９ａが加熱される。
【００８３】
したがって、前記保温ジャケット１８からの温熱を受けたヒートパイプ２２ｂは、このヒートパイプ２２ｂ内に充填した媒体の相変化により伝熱ロスの少ない状態で保温プレート１７へ前記温熱を伝達する。しかも、前記ヒートパイプ２２ｂが、前記保温プレート１７に広範囲にわたって内蔵されているため、前記保温プレート１７による保温機能の立ち上がり速度も速くなり、保温プレート１７の保温作用が広範囲にわたって均一化される。
【００８４】
なお、上記各実施の形態においては、保冷プレート１３、保温プレート１７が対となった一つの構造体について説明したが、図１に示す如く、テーブル１１は、上記構造体を複数備え、その運転数量は、周知の制御構造によって任意の数だけ個々に運転、あるいは一斉に全数を運転する等制御する構成とすることができる。
【産業上の利用可能性】
【００８５】
以上のように、本発明にかかる温冷機能付テーブルは、保温、保冷を行うことができるので、キッチンや調理設備のみならず、保温保冷機能付まな板等の調理具等にも適用できる。
【図面の簡単な説明】
【００８６】
【図１】本発明の実施の形態１による温冷機能付テーブルの斜視図
【図２】同温冷機能付テーブルにおけるＸ−Ｘ線による要部の断面図
【図３】本発明の実施の形態２における温冷機能付テーブルの要部断面図
【図４】本発明の実施の形態３における温冷機能付テーブルの要部断面図
【図５】本発明の実施の形態４における温冷機能付テーブルの要部断面図
【図６】従来例を示す温冷機能付テーブルとテーブル天板の分解斜視図
【図７】図６におけるＹ−Ｙ線による温冷機能付テーブルの要部断面図
【符号の説明】
【００８７】
８ａ、８ｂ、８ｃ、８ｄ  保冷面
９ａ、９ｂ、９ｃ、９ｄ  保温面
１０  テーブル天板
１１  テーブル
１２  熱媒体
１３  保冷プレート
１４ａ  熱電モジュール
１４ｂ  冷却面
１４ｃ  加熱面
１５  保冷ジャケット
１６  ポンプ
１７  保温プレート
１８  保温ジャケット
１９  保護カバー
２０  三方弁バルブ
２１  放熱器
２２ａ、２２ｂ  ヒートパイプ
【図１】
2005300101.tif 000003
【図２】
2005300101.tif 000004
【図３】
2005300101.tif 000005
【図４】
2005300101.tif 000006
【図５】
2005300101.tif 000007
【図６】
2005300101.tif 000008
【図７】
2005300101.tif 000009